(57)【特許請求の範囲】
【請求項１】
物理的資産（１０４、６０２）の測定ゾーン（６０４）の寸法を決定するための測定システム（１０２、２００、３００、４００、５００、６０６）であって、
前記物理的資産（１０４、６０２）の前記測定ゾーン（６０４）に対応する１つまたは複数のアナログ測定値を決定するように構成され、摺動アーム（２０２、３０２、４０２、６１８、５０２）および垂直アーム（２０４、３０４、４０４、５０４、６２０）を含む伸縮式ゲージ（１０８、２０１、３０１、４０１、５０１、６０１）と、
前記伸縮式ゲージ（１０８、２０１、３０１、４０１、５０１、６０１）に配置され、前記伸縮式ゲージ（１０８、２０１、３０１、４０１、５０１、６０１）の前記摺動アーム（２０２、３０２、４０２、６１８、５０２）および前記垂直アーム（２０４、３０４、４０４、５０４、６２０）を動かすように構成された２段ノブ（２０８、６１２）と、
前記伸縮式ゲージ（１０８、２０１、３０１、４０１、５０１、６０１）に動作可能に結合され、前記１つまたは複数のアナログ測定値を、対応する１つまたは複数のデジタル測定値に変換するように構成されたデータデジタイザ（１１０、６１４）と、
前記伸縮式ゲージ（１０８、２０１、３０１、４０１、５０１、６０１）に動作可能に結合され、前記１つまたは複数のデジタル測定値を無線で送信するように構成された無線部（１１２、２１０、６１６）と
を含むシステム（１０２、２００、３００、４００、５００、６０６）。
【請求項２】
前記測定ゾーン（６０４）は、ボア、孔、パイプ、またはこれらの組み合わせを含み、前記測定ゾーン（６０４）は、均一な寸法、変化する寸法、またはこれらの組み合わせを有する、請求項１に記載のシステム（１０２、２００、３００、４００、５００、６０６）。
【請求項３】
前記伸縮式ゲージ（１０８、２０１、３０１、４０１、５０１、６０１）は、前記摺動アーム（２０２、３０２、４０２、６１８、５０２）を前記垂直アーム（２０４、３０４、４０４、５０４、６２０）に結合するように構成された結合部（２０６、３０６）をさらに含み、
前記結合部（２０６、３０６）は、複数の歯車（２１５）を含む、請求項１又は請求項２に記載のシステム（１０２、２００、３００、４００、５００、６０６）。
【請求項４】
前記伸縮式ゲージ（１０８、２０１、３０１、４０１、５０１、６０１）は、前記摺動アーム（２０２、３０２、４０２、６１８、５０２）を前記垂直アーム（２０４、３０４、４０４、５０４、６２０）に結合するように構成されたばね（２１８）をさらに含む、請求項１又は請求項２に記載のシステム（１０２、２００、３００、４００、５００、６０６）。
【請求項５】
前記データデジタイザ（１１０、６１４）は、ロータリーエンコーダ（４０６）、直線位置エンコーダ（５０６）、またはこれらの組み合わせを含み、前記データデジタイザ（１１０、６１４）は、一連のデジタル測定値を生成するようにさらに構成される、請求項１乃至請求項４のいずれか１項に記載のシステム（１０２、２００、３００、４００、５００、６０６）。
【請求項６】
前記１つもしくは複数のデジタル測定値、前記一連のデジタル測定値、またはこれらの組み合わせに基づいて、前記物理的資産（１０４、６０２）の状態をリアルタイムに決定するように構成された処理サブシステム（１０６、６１０）をさらに含み、前記処理サブシステム（１０６、６１０）は、前記一連のデジタル測定値の特定用途向けの解釈を生成するために、前記一連のデジタル測定値を処理するようにさらに構成される、請求項５に記載のシステム（１０２、２００、３００、４００、５００、６０６）。
【請求項７】
前記垂直アーム（２０４、３０４、４０４、５０４、６２０）、前記摺動アーム（２０２、３０２、４０２、６１８、５０２）、または前記垂直アーム（２０４、３０４、４０４、５０４、６２０）および前記摺動アーム（２０２、３０２、４０２、６１８、５０２）の両方は、歯部（２２２、２２４）を含む、請求項１乃至請求項６のいずれか１項に記載のシステム（１０２、２００、３００、４００、５００、６０６）。
【請求項８】
物理的資産（１０４、６０２）の測定ゾーン（６０４）の寸法を決定するための方法であって、前記方法は、
伸縮式ゲージ（１０８、２０１、３０１、４０１、５０１、６０１）を用いて前記物理的資産（１０４、６０２）の前記測定ゾーン（６０４）に対応する１つまたは複数のアナログ測定値を決定するステップであって、前記伸縮式ゲージ（１０８、２０１、３０１、４０１、５０１、６０１）は、少なくとも２つの摺動アーム（２０２、３０２、４０２、６１８、５０２）、垂直アーム（２０４、３０４、４０４、５０４、６２０）、またはこれらの組み合わせを含み、かつ前記伸縮式ゲージ（１０８、２０１、３０１、４０１、５０１、６０１）の前記摺動アーム（２０２、３０２、４０２、６１８、５０２）および前記垂直アーム（２０４、３０４、４０４、５０４、６２０）を動かすように構成された２段ノブ（２０８、６１２）が、前記伸縮式ゲージ（１０８、２０１、３０１、４０１、５０１、６０１）に配置されている、ステップと、
データデジタイザ（１１０、６１４）を用いて、前記１つまたは複数のアナログ測定値を１つまたは複数のデジタル測定値に変換するステップと、
前記１つまたは複数のデジタル測定値を処理サブシステム（１０６、６１０）に無線で転送するステップと、
前記１つまたは複数のデジタル測定値を処理するステップに基づいて、前記物理的資産（１０４、６０２）の状態をリアルタイムで識別するステップと
を含む方法。
【請求項９】
前記伸縮式ゲージ（１０８、２０１、３０１、４０１、５０１、６０１）は、複数の歯車（２１５）、ばね（２１８）、軸（２２０）、またはこれらの組み合わせを含み、前記測定ゾーン（６０４）内に前記伸縮式ゲージ（１０８、２０１、３０１、４０１、５０１、６０１）を配置するステップは、前記伸縮式ゲージ（１０８、２０１、３０１、４０１、５０１、６０１）の前記少なくとも２つの摺動アーム（２０２、３０２、４０２、６１８、５０２）が前記測定ゾーン（６０４）の側壁（６０８）に動作可能に結合されるように、前記複数の歯車（２１５）、前記ばね（２１８）、前記軸（２２０）、前記少なくとも２つの摺動アーム（２０２、３０２、４０２、６１８、５０２）、前記垂直アーム（２０４、３０４、４０４、５０４、６２０）、またはこれらの組み合わせを動かすステップをさらに含む、請求項８に記載の方法。
【請求項１０】
前記１つまたは複数のアナログ測定値を決定するステップは、前記複数の歯車（２１５）の回転角度、前記少なくとも２つの摺動アーム（２０２、３０２、４０２、６１８、５０２）と前記垂直アーム（２０４、３０４、４０４、５０４、６２０）とのうちの少なくとも１つの直線変位、またはこれらの組み合わせを決定するステップを含む、請求項９に記載の方法。
【請求項１１】
前記１つまたは複数のアナログ測定値を前記１つまたは複数のデジタル測定値に変換するステップは、前記回転角度、および前記少なくとも２つの摺動アーム（２０２、３０２、４０２、６１８、５０２）と前記垂直アーム（２０４、３０４、４０４、５０４、６２０）とのうちの少なくとも１つの前記直線変位のうちの１つまたは複数を、前記１つまたは複数のデジタル測定値に変換するステップを含む、請求項１０に記載の方法。
【請求項１２】
一連のデジタル測定値を生成するステップをさらに含み、前記物理的資産（１０４、６０２）の前記状態をリアルタイムで識別するステップは、前記物理的資産（１０４、６０２）の前記状況を確認するために、前記１つもしくは複数のデジタル測定値、前記一連のデジタル測定値、またはこれらの組み合わせを基準値と比較するステップを含む、請求項８乃至請求項１１のいずれか１項に記載の方法。
【請求項１３】
前記物理的資産（１０４、６０２）の前記状態をリアルタイムで識別するステップは、
前記１つまたは複数のデジタル測定値に基づいて所望の測定値を算出するステップと、
前記物理的資産（１０４、６０２）の前記状態を識別するために、前記１つまたは複数のデジタル測定値を前記所望の測定値と比較するステップと
を含む、請求項８に記載の方法。
【請求項１４】
物理的資産（１０４、６０２）の寸法を測定するためのシステム（１００、６００）であって、前記システム（１００、６００）は、
前記物理的資産（１０４、６０２）に動作可能に結合された測定サブシステムであって、
少なくとも２つの摺動アーム（２０２、３０２、４０２、６１８、５０２）と垂直アーム（２０４、３０４、４０４、５０４、６２０）とを含み、前記物理的資産（１０４、６０２）の測定ゾーン（６０４）内に配置され、前記物理的資産（１０４、６０２）の前記測定ゾーン（６０４）に対応する１つまたは複数のアナログ測定値を決定するように構成された伸縮式ゲージ（１０８、２０１、３０１、４０１、５０１、６０１）と、
前記伸縮式ゲージ（１０８、２０１、３０１、４０１、５０１、６０１）に配置された２段ノブ（２０８、６１２）であって、前記伸縮式ゲージ（１０８、２０１、３０１、４０１、５０１、６０１）の前記少なくとも２つの摺動アーム（２０２、３０２、４０２、６１８、５０２）および前記垂直アーム（２０４、３０４、４０４、５０４、６２０）を動かして、前記少なくとも２つの摺動アーム（２０２、３０２、４０２、６１８、５０２）および前記垂直アーム（２０４、３０４、４０４、５０４、６２０）を前記物理的資産（１０４、６０２）の前記測定ゾーン（６０４）の側壁（６０８）に動作可能に結合させるように構成される２段ノブ（２０８、６１２）と、
前記伸縮式ゲージ（１０８、２０１、３０１、４０１、５０１、６０１）に動作可能に結合され、前記１つまたは複数のアナログ測定値を、１つまたは複数の対応するデジタル測定値に変換するように構成されたデータデジタイザ（１１０、６１４）と、
前記伸縮式ゲージ（１０８、２０１、３０１、４０１、５０１、６０１）もしくは前記データデジタイザ（１１０、６１４）、またはこれらの両方に動作可能に結合され、前記１つまたは複数のデジタル測定値を無線で送信するように構成された無線部（１１２、２１０、６１６）と、
を含む測定サブシステムと、
前記１つもしくは複数のデジタル測定値、一連のデジタル測定値、またはこれらの組み合わせに基づいて、前記物理的資産（１０４、６０２）の状態をリアルタイムに識別するように構成された処理サブシステム（１０６、６１０）と
を含む、システム（１００、６００）。
【発明の詳細な説明】
【技術分野】
【０００１】
本開示の実施形態は、一般的には、伸縮式ゲージに関し、より具体的には、改善された再現性、より優れた精度、および高い分解能を有するデジタル無線伸縮式ゲージに関する。
【背景技術】
【０００２】
従来、伸縮式ゲージは、物理システム／物理的資産の孔またはパイプなどの要素の内部半径を測定するために現場の検査者により用いられている。物理的資産は、たとえば油田およびガス田の構成要素を含むことができる。伸縮式ゲージは、間接的な測定装置であって、伸縮式ゲージのヘッドを最初に内側の孔またはパイプに配置して、その後、孔またはパイプの側壁に接触するように伸縮式ゲージのヘッドを側方に延ばす。さらに、伸縮式ゲージを孔またはパイプから引き出して、伸縮式ゲージの延ばされたヘッドの長さをマイクロメータまたはノギスを用いて測定し、孔またはパイプの内側半径を決定する。したがって、伸縮式ゲージの操作は、２つの段階、すなわち、測定処理および記録処理を含んでいる。したがって、伸縮式ゲージの操作は煩わしく、手動の介入を必要とする。
【０００３】
さらに、物理的資産の検査は、通常、伸縮式ゲージを使用してデータを収集することを必要とする。このデータの収集は困難であり、時間がかかる。さらに、データは、その後、物理的資産の適切な監視および検査を提供するために解析されなければならない。データの解析は、通常、現場の検査者には即時に利用することができない計算能力を必要とする。
【０００４】
加えて、伸縮式ゲージを用いた測定は、現場の検査者の経験や習慣に大きく依存している。したがって、伸縮式ゲージの効率および再現性が所望の基準を満たすことができない場合がある。したがって、伸縮式ゲージを用いた測定は、不正確であり得る。不正確な測定は、物理的資産／システムの修理および保守を損なうおそれがある。
【先行技術文献】
【特許文献】
【０００５】
【特許文献１】米国特許第７９９７００１号明細書
【発明の概要】
【０００６】
本明細書の態様によれば、物理的資産の測定ゾーンの寸法を決定するための測定システムが提供される。システムは、物理的資産の前記測定ゾーンに対応する１つまたは複数のアナログ測定値を決定するように構成された伸縮式ゲージを含み、伸縮式ゲージは摺動アームおよび垂直アームを含む。さらに、システムは、伸縮式ゲージに動作可能に結合され、１つまたは複数のアナログ測定値を、対応する１つまたは複数のデジタル測定値に変換するように構成されたデータデジタイザを含む。加えて、システムは、伸縮式ゲージに動作可能に結合され、１つまたは複数のデジタル測定値を無線で送信するように構成された無線部を含む。
【０００７】
本明細書の別の態様によれば、物理的資産の測定ゾーンの寸法を決定するための方法が提供される。本方法は、伸縮式ゲージを用いて物理的資産の測定ゾーンに対応する１つまたは複数のアナログ測定値を決定するステップ含み、伸縮式ゲージは、少なくとも２つの摺動アーム、垂直アーム、またはこれらの組み合わせを含む。さらに、本方法は、データデジタイザを用いて、１つまたは複数のアナログ測定値を１つまたは複数のデジタル測定値に変換するステップを含む。本方法はまた、１つまたは複数のデジタル測定値を処理サブシステムに無線で転送するステップを含む。加えて、本方法は、１つまたは複数のデジタル測定値を処理するステップに基づいて、物理的資産の状態をリアルタイムで識別するステップを含む。
【０００８】
本明細書のさらに別の態様によれば、物理的資産の寸法を測定するためのシステムが提供される。システムは、物理的資産に動作可能に結合された測定サブシステムを含み、測定サブシステムは、少なくとも２つの摺動アームと垂直アームとを含む伸縮式ゲージであって、物理的資産の測定ゾーン内に配置され、物理的資産の測定ゾーンに対応する１つまたは複数のアナログ測定値を決定するように構成された伸縮式ゲージと、伸縮式ゲージに動作可能に結合され、１つまたは複数のアナログ測定値を、１つまたは複数の対応するデジタル測定値に変換するように構成されたデータデジタイザと、伸縮式ゲージもしくはデータデジタイザ、またはこれらの両方に動作可能に結合され、１つまたは複数のデジタル測定値を無線で送信するように構成された無線部と、を含む。さらに、システムは、１つもしくは複数のデジタル測定値、一連のデジタル測定値、またはこれらの組み合わせに基づいて、物理的資産の状態をリアルタイムに識別するように構成された処理サブシステムを含む。
【０００９】
本開示のこれらの、ならびに他の特徴、態様および利点は、添付の図面を参照しつつ以下の詳細な説明を読めば、よりよく理解されよう。添付の図面では、図面の全体にわたって、類似する符号は類似する部分を表す。
【図面の簡単な説明】
【００１０】
【図１】本開示の態様による、例示的な測定および解析システムのブロック図である。
【図２】本開示の態様による、図１の例示的なシステムで使用するための例示的な測定サブシステムの一実施形態の概略図である。
【図３】本開示の態様による、図１の例示的なシステムで使用するための例示的な測定サブシステムの別の実施形態の概略図である。
【図４】本開示の態様による、図１の例示的なシステムで使用するためのデータデジタイザを有する例示的な測定サブシステムの他の実施形態の概略図である。
【図５】本開示の態様による、図１の例示的なシステムで使用するためのデータデジタイザを有する例示的な測定サブシステムの他の実施形態の概略図である。
【図６】本開示の態様による、図１の例示的な測定および解析システムを用いた物理的資産の寸法測定の概略図である。
【図７】本開示の態様による、図１の測定および解析システムを用いた物理的資産に対応する寸法を測定する方法の概略図である。
【発明を実施するための形態】
【００１１】
特に定義されない限り、本明細書で用いられる技術的および科学的用語は、本明細書が属する技術的分野の当業者によって一般的に理解されているものと同じ意味を有する。本明細書で用いられる「第１の」、「第２の」等の用語は、いかなる順序、量、または重要性も意味するものではなく、１つの要素と別の要素とを区別するために用いられる。また、単数形での記述は、量の限定を意味するものではなく、むしろ参照される項目が少なくとも１つ存在することを意味する。「または」という用語は、包括的であって、列挙された項目のうちの１つ、いくつか、またはすべてを意味する。本明細書における「含む」、「備える」、または「有する」、ならびにこれらの変形の使用は、その後に列挙される項目およびその均等物ならびに追加の項目を含むことを意味する。「接続される」、「結合される」という用語は、物理的もしくは機械的な接続または結合に限定されず、直接的であるか間接的であるかを問わず、電気的接続または結合を含んでもよい。さらに、「回路」、「回路構成」、および「コントローラ」という用語は、単一の構成要素または複数の構成要素のいずれを含んでもよいし、それらは能動的および／または受動的であってもよく、記載した機能を提供するために互いに接続または結合されてもよい。
【００１２】
以下、詳細に説明するように、測定および解析システムが提示される。測定および解析システムは、物理的資産の寸法を測定するために用いることができる測定サブシステムを含む。具体的には、これに限らないが、油田およびガス田の構成要素などの物理的資産に対応する測定ゾーンの寸法を測定するためのデジタル無線伸縮式ゲージが提示される。以下で説明する測定および解析システムを使用して、改善された再現性、より優れた精度、および高い分解能を有する測定および解析システムを得ることができる。
【００１３】
ここで図面を参照すると、一例として、本開示の態様による、例示的な測定および解析システムの概略図１００を図１に示す。測定および解析システム１００は、測定サブシステム１０２および処理サブシステム１０６を含む。測定サブシステム１０２は、物理的資産１０４に対応する測定ゾーンの寸法を測定および解析するために用いることができる。測定ゾーンの寸法という用語は、本明細書では、測定ゾーンの直径、半径、長さ、および幅などを指すために使用することができる。物理的資産１０４は、これに限らないが、パイプラインおよびチューブなどの油田およびガス田の構成要素を含むことができる。さらに、物理的資産１０４に対応する測定ゾーンは、ボア、孔、およびパイプなどを含むことができる。
【００１４】
加えて、特定の実施形態では、物理的資産１０４は、均一な寸法を有してもよい。例として、一実施形態では、物理的資産１０４は、パイプを含んでもよい。したがって、半径および／または直径などのパイプに対応する測定ゾーンの寸法は、パイプの長さ全体にわたって均一であってもよい。しかし、他の特定の実施形態では、物理的資産１０４は円錐形状を有してもよい。したがって、半径および／または直径などの円錐形状の物理的資産１０４の測定ゾーンの寸法は、円錐形状の物理的資産１０４の長さに沿って変化してもよい。例示的な測定および解析システム１００は、均一な寸法および／または変化する寸法を有する物理的資産１０４の寸法を効率的に測定するように構成することができる。
【００１５】
現在想定される構成では、測定サブシステム１０２は、伸縮式ゲージ１０８、データデジタイザ１１０、および無線部１１２を含むことができる。伸縮式ゲージ１０８は、垂直アーム、摺動アーム、複数の歯車、またはこれらの組み合わせを含むことができる。伸縮式ゲージ１０８は、ボア、孔、および／またはパイプの寸法を測定するために用いることができる。さらに、一実施形態では、伸縮式ゲージ１０８は、測定ゾーンに対応するアナログ測定値を決定するように構成することができる。アナログ測定値という用語は、本明細書では、伸縮式ゲージ１０８の垂直アームおよび／または摺動アームの直線変位、伸縮式ゲージ１０８の複数の歯車の回転角度、あるいはこれらの組み合わせを指すために使用することができる。一例では、アナログ測定値は、タイムスタンプと共に決定される。タイムスタンプという用語は、本明細書では、アナログ測定値が測定された時刻を指すために用いることができる。一例では、タイムスタンプと共にアナログ測定値を３．７８９ｍｍ＠２０１４−０８−２７  ０９：５５：１８：０６７と表すことができる。例示的な伸縮式ゲージ１０８の異なる実施形態は、図２および図３を参照してより詳細に説明する。
【００１６】
本開示の態様によれば、データデジタイザ１１０は、伸縮式ゲージ１０８に動作可能に結合することができる。データデジタイザ１１０は、伸縮式ゲージ１０８により決定されたアナログ測定値を対応するデジタル測定値に変換するように構成することができる。デジタル測定値という用語は、本明細書では、アナログ測定値に対応するデジタル表示を指すために使用することができる。デジタル表示の一例は、物理的資産１０４の測定ゾーンの寸法を示す数値表示を含むことができる。
【００１７】
さらに、特定の実施形態では、測定サブシステム１０２、特にデータデジタイザ１１０は、伸縮式ゲージ１０８により測定されたアナログ測定値を連続的にデジタル化するように構成することができる。例として、データデジタイザ１１０は、毎秒約１００個のアナログ測定値をデジタル化するように構成することができる。デジタル測定値は、処理サブシステム１０６によって処理することができる。さらに、処理されたデジタル測定値は、物理的資産の状況または状態を決定するために用いることができる。一例では、物理的資産の状態は、物理的資産の健全状態または故障／異常状態を含むことができる。
【００１８】
さらに、データデジタイザ１１０は、一連のデジタル測定値を生成するように構成することができる。一連のデジタル測定値は、処理サブシステム１０６により処理されて、一連のデジタル測定値の特定用途向けの解釈を生成することができる。一例では、処理サブシステム１０６は、所定の時間期間にわたってデジタル測定値の変化を監視するように構成することができる。したがって、この例では、一連のデジタル測定値は、時間でインデックス付けされたデジタル測定値を含むことができる。別の例では、一連のデジタル測定値は、物理的資産１０４の所望の長さに沿って取得された測定値の範囲に対応することができる。この例では、所望の測定値を一連のデジタル測定値から推定および／または補間することができる。
【００１９】
さらに別の例では、一連のデジタル測定値は、平滑化された一連のデジタル測定値を生成するために平滑化することができる。特定の実施形態では、処理サブシステム１０６は、一連のデジタル測定値を平均化することにより、平滑化された一連のデジタル測定値を生成するように構成することができる。さらに、処理サブシステム１０６はまた、平滑化された一連のデジタル測定値に基づいて、所望の測定値を特定するように構成することができる。一例では、所望の測定値は、平滑化された一連のデジタル測定値に対応する最大値を表してもよい。さらに、所望の測定値は、物理的資産１０４の状態を識別するために使用することができる。所望の測定値を使用することにより、現場の操作者の主観的な判断による誤差を最小にするのに役立つ。
【００２０】
非限定的な一例では、データデジタイザ１１０は、直線位置エンコーダ、ロータリーエンコーダ、またはこれらの組み合わせを含むことができる。他のタイプのデータデジタイザを用いる伸縮式ゲージの異なる実施形態は、図４および図５を参照してより詳細に説明する。
【００２１】
さらに、無線部１１２は、データデジタイザ１１０および処理サブシステム１０６に動作可能に結合することができる。データデジタイザ１１０によってアナログ測定値がデジタル測定値に変換されると、無線部１１２は、デジタル測定値を処理サブシステム１０６に無線で転送するように構成することができる。デジタル測定値を送信するために、様々な通信プロトコルを用いることができる。デジタル測定値を送信するために用いられるインターフェースのいくつかの例としては、これらに限らないが、ユニバーサルシリアルバス（「ＵＳＢ」）、推奨標準規格２３２（「ＲＳ２３２」）、シリアル周辺インターフェースバス（「ＳＰＩ」）、Ｉｎｔｅｒ−Ｉｎｔｅｇｒａｔｅｄ  Ｃｉｒｃｕｉｔ（「Ｉ２Ｃ」）、アナログインターフェース、およびその他の独自仕様のＩ／Ｏインターフェースが挙げられる。
【００２２】
さらに、無線技術のいくつかの例として、無線部１１２は、種々の無線技術、たとえば、これらに限らないが、ブルートゥース（登録商標）技術、超広帯域技術、およびＷｉ−Ｆｉなどの近距離無線技術を用いてデジタル測定値を転送することができる。１つの例示的な実施形態では、無線部１１２は、処理サブシステム１０６と通信するためにブルートゥース（登録商標）低エネルギー（「ＢＬＥ」）プロトコルを用いることができる。ＢＬＥはまた、ブルートゥースＳＭＡＲＴ（登録商標）として知られていることに留意されたい。ブルートゥースおよびブルートゥースＳＭＡＲＴは、ワシントン州カークランドのＢｌｕｅｔｏｏｔｈ  Ｓｐｅｃｉａｌ  Ｉｎｔｅｒｅｓｔ  Ｇｒｏｕｐの登録商標である。ブルートゥースに関係する通信範囲を維持しつつ、消費電力が相対的に低いので、無線部１１２によるＢＬＥプロトコルの使用は有利である。たとえば８０２．１１ｂ、ブルートゥース、およびＺｉｇＢｅｅ（登録商標）（ＺｉｇＢｅｅは、カリフォルニア州サンラモンのＺｉｇＢｅｅ  Ａｌｌｉａｎｃｅの登録商標である）を含む他の無線プロトコルを無線部１１２が用いてもよい。
【００２３】
さらに、データデジタイザ１１０により生成されたデジタル測定値は、処理サブシステム１０６によって処理および解析することができる。非限定的な一例では、処理サブシステム１０６は、コンピュータ、スマートフォン、アイパッド(登録商標）、アイフォン、タブレット、またはこれらの組み合わせを含むことができる。処理サブシステム１０６がスマートフォン、アイフォン、またはこれらの組み合わせなどのモバイル機器である場合には、処理サブシステム１０６は、測定サブシステム１０２とのユビキタス接続性、可搬性、および相互運用性を可能にする。
【００２４】
特定の実施形態では、一連のデジタル測定値を解釈することまたはそれから結論を引き出すことは、複雑であって高度な処理を必要とする場合があり得ることに留意されたい。高度な処理は、モバイル機器の処理能力を超えることがあり、および／またはモバイル機器上で容易に利用することができない追加の情報のコンテキストを必要とする場合がある。この例では、処理サブシステム１０６は、追加の計算リソースならびに／または記憶およびデータベース構造（たとえば、クラウド）に依存するように構成することができる。特定の実施形態では、追加のリソースはリモートサーバを含むことができる。
【００２５】
加えて、システム１００は、特に測定サブシステム１０２およびデータデジタイザ１１０により生成されたデジタル測定値に基づいて、物理的資産１０４の状態を決定するように構成することができる。一実施形態では、処理サブシステム１０６は、処理されたデジタル測定値を基準値と比較して、物理的資産１０４の状態を識別するように構成することができる。一例では、物理的資産１０４の状態は、物理的資産１０４の健全状態または異常状態を含むことができる。許容値の所定範囲外にある、測定サブシステム１０２によって生成されたデジタル測定値は、物理的資産１０４の異常状態を示すことができる。物理的資産１０４の異常状態は、処理サブシステム１０６によって識別された場合には、異常状態に関する情報を現場の操作者に転送することができる。一実施形態では、異常状態に関する情報は、アラームを活性化すること、および／または視覚表示を活性化することにより伝達することができる。図１の実施例では、別個のユニットとして処理サブシステム１０６を表しているが、一実施例では、処理サブシステム１０６は、測定サブシステム１０２の一部を形成してもよい。測定および解析システム１００については、図６を参照してより詳細に説明する。また、測定サブシステム１０２を用いた物理的資産の寸法を測定する方法については、図７を参照してより詳細に説明する。
【００２６】
ここで図２を参照して、本開示の態様による、図１の例示的なシステム１００で使用するための例示的な測定サブシステムの一実施形態の概略図２００を示す。測定サブシステム２００は、図１の伸縮式ゲージ１０８などの伸縮式ゲージ２０１、２段ノブ２０８、および無線部２１０を含む。伸縮式ゲージ２０１は、摺動アーム２０２、垂直アーム２０４、および結合部２０６を含む。摺動アーム２０２は、摺動アーム２０２の２つの自由端にある少なくとも２つの接触キャップ２１２を含むことができる。
【００２７】
さらに、摺動アーム２０２は、結合部２０６を介して、垂直アーム２０４に結合することができる。また、結合部２０６は、複数の歯車２１５、ばね２１８、および軸２２０を含む。複数の歯車２１５は、大歯車２１４および小歯車２１６を含む。一実施例では、ばね２１８は、渦巻きばね、直線らせんばね、またはこれらの組み合わせであってもよい。軸２２０およびばね２１８は、大歯車２１４および小歯車２１６に動作可能に結合することができる。本開示の態様によれば、大歯車２１４および小歯車２１６は、歯車変換により約２．５倍以上の機械的増幅を提供することができる。この機械的増幅は、測定サブシステム２００の分解能を高めるに役立つ。
【００２８】
さらに、２段ノブ２０８を測定サブシステム２００の垂直アーム２０４に動作可能に結合することができる。２段ノブ２０８は、伸縮式ゲージ２０１の摺動アーム２０２および垂直アーム２０４を動かすように構成される。特に、垂直アーム２０４は、２段ノブ２０８を用いることにより、上方向２２６または下方向２３０に動かすことができる。２段ノブ２０８を上方向２２６に動かすことにより、垂直アーム２０４を上方向に動かすことができる。同様にして、２段ノブ２０８を下方向２３０に動かすことにより、垂直アーム２０４を下方向に動かすことができる。
【００２９】
さらに、本開示の態様によれば、垂直アーム２０４は、第１の歯部２２２を含むことができる。加えて、摺動アーム２０２の各々は、対応する第２の歯部２２４を含むことができる。図２の実施例では、垂直アーム２０４の第１の歯部２２２は、大歯車２１４に動作可能に結合される。次に、大歯車２１４は小歯車２１６に結合される。さらに、小歯車２１６は、摺動アーム２０２の第２の歯部２２４に動作可能に結合され得る。より具体的には、第１および第２の歯部２２２、２２４は、大小の歯車２１４、２１６を介して垂直アーム２０４を摺動アーム２０２に結合するのに役立つ。この結合は、次に、垂直アーム２０４および摺動アーム２０２の往復運動を助けることができる。一実施例では、垂直アーム２０４の上方向２２６の動きにより、大歯車２１４を回転させることができる。大歯車２１４の回転により、小歯車２１６の回転運動が生じて、次に摺動アーム２０２の外向きの動き２２８を得ることができる。
【００３０】
本開示の態様によれば、伸縮式ゲージ２０１は、図１の物理的資産１０４などの物理的資産に対応する測定ゾーンの直径などの寸法を測定するために使用することができる。したがって、伸縮式ゲージ２０１は、物理的資産の測定ゾーン内に配置することができる。さらに、伸縮式ゲージ２０１の垂直アーム２０４を上方向２２６に動かすことができる。したがって、大歯車２１４、小歯車２１６、軸２２０、およびばね２１８が回転して、摺動アーム２０２を外向き方向２２８に動かす。摺動アーム２０２のこの外向きの動きにより、摺動アーム２０２が物理的資産の測定ゾーン内に確実に係合される。より具体的には、摺動アーム２０２は、伸縮式ゲージ２０１の接触キャップ２１２を介して測定ゾーンの側壁に確実に係合され得る。垂直アーム２０４の上方向または下方向への動き、ならびに摺動アーム２０２の内向き方向または外向き方向への動きを、まとめて直線変位と呼ぶことができる。
【００３１】
摺動アーム２０２が測定ゾーンと係合すると、測定ゾーンの寸法は、垂直アーム２０４の上方向への変位または摺動アーム２０２の外向き方向への変位に基づいて決定することができる。別の実施例では、摺動アーム２０２が測定ゾーンの側壁に係合すると、測定ゾーンの寸法は、大歯車２１４および／または小歯車２１６の回転角度に基づいて決定することができる。さらに、垂直アーム２０４が下方向２３０に動く場合には、摺動アーム２０２は内向き方向２３２に動くことができ、これにより、測定ゾーンの側壁から摺動アーム２０２をはずすことができる。
【００３２】
摺動アーム２０２および／または垂直アーム２０４の直線変位ならびに大歯車２１４および／または小歯車２１６の回転角度を、アナログ測定値と呼ぶことができる。アナログ測定値は、図１のデータデジタイザ１１０などのデータデジタイザを用いてデジタル測定値に変換することができる。データデジタイザは、摺動アーム２０２、垂直アーム２０４、結合部２０６、またはこれらの組み合わせに動作可能に結合することができる。さらに、無線部２１０を用いて図１の処理サブシステム１０６などの処理サブシステムにデジタル測定値を転送することができる。図２の実施例では、無線部２１０は、測定サブシステム２００の垂直アーム２０４に配置することができる。一実施形態では、無線部２１０は、２段ノブ２０８を横方向に動かすことにより、測定サブシステム２００からのデジタル測定値を処理サブシステムに転送するように構成することができる。
【００３３】
ここで図３を参照して、本開示の態様による、図１の例示的なシステム１００で使用するための例示的な測定サブシステム３００の別の実施形態の概略図を示す。測定サブシステム３００は、図２の測定サブシステム２００に類似していることに留意されたい。
【００３４】
測定サブシステム３００は、伸縮式ゲージ３０１を含む。伸縮式ゲージ３０１は、２つの摺動アーム３０２、垂直アーム３０４、および結合部３０６を含む。結合部３０６は、ばねを含むことができる。一実施形態では、ばね３０６を垂直アーム３０４に配置することができ、垂直アーム３０４はピン状の構造とすることができる。さらに、図２の実施形態では、ばねの形状の結合部３０６は、垂直アーム３０４を摺動アーム３０２に動作可能に結合するために使用される。垂直アーム３０４を摺動アーム３０２に結合する図２の構成は、楔結合と呼ぶことができる。図３の測定サブシステム３００は、極めて小さい範囲の測定値を測定するために用いることができる。一実施例では、測定値の範囲は、約０．１インチ〜約０．５インチの範囲であってもよい。さらに、一実施例では、測定サブシステム３００などの例示的なツールは、約０．１インチのオーダーのギャップで用いることができ、０．０００１インチのオーダーの精度を要求することができる。
【００３５】
比較的小さいボア／孔などの測定ゾーンの寸法を決定するために、伸縮式ゲージ３０１および特に伸縮式ゲージ３０１の摺動アーム３０２を測定ゾーン内に配置することができる。さらに、摺動アーム３０２を横方向３１０に変位させるように、垂直アーム３０４を上方向３０８に変位させることができる。垂直アーム３０４のこの動きにより、摺動アーム３０２が測定ゾーンの側壁に確実に係合される。一実施例では、図２の２段ノブ２０８などの２段ノブを用いて、垂直アーム３０４を上方向３０８に変位させることができる。摺動アーム３０２が測定ゾーンの側壁に係合すると、摺動アーム３０２の変位および垂直アーム３０４の変位を、図１のデータデジタイザ１１０などのデータデジタイザを用いて、対応するデジタル測定値に変換することができる。さらに、デジタル測定値は、図１の処理サブシステム１０６などの処理サブシステムに転送することができる。図２の無線部２１０などの無線部は、デジタル測定値を処理サブシステムに無線で転送するのを助ける。
【００３６】
図４および図５は、本開示の態様による、図１のシステム１００で使用するためのデータデジタイザを有する例示的な測定サブシステムの他の実施形態の概略図である。より具体的には、図４〜図５の実施形態では、データデジタイザは伸縮式ゲージの一体化された部分である。
【００３７】
図４は、データデジタイザを有する例示的な測定サブシステムの概略図４００である。システム４００は、図１の例示的なシステムで使用するように構成される。測定サブシステム４００は、伸縮式ゲージ４０１およびデータデジタイザ４０６を含むことができる。図４の実施例では、データデジタイザ４０６は、ロータリーエンコーダであってもよい。伸縮式ゲージ４０１は、摺動アーム４０２、垂直アーム４０４、および結合部（図示せず）を含む。一実施例では、結合部は、摺動アーム４０２および垂直アーム４０４を結合するように構成される。結合部は、大歯車、小歯車、軸、およびばねを含むことができる。システム４００の結合部は、図２の結合部２０６と実質的に類似していることに留意されたい。さらに、ロータリーエンコーダ４０６は、結合部に結合することができる。
【００３８】
上述したように、図１の物理的資産１０４などの物理的資産の測定ゾーンの寸法を測定する間に、摺動アーム４０２を測定ゾーンに配置することができ、垂直アーム４０４を上方向に動かして、結合部を回転させることができる。特に、垂直アーム４０４を上方向に動かすことにより、結合部の大歯車および小歯車が回転し、これにより摺動アーム４０２が外向き方向に動く。その結果、摺動アーム４０２を測定ゾーンの側壁に確実に係合することができる。摺動アーム４０２が適切に係合されると、測定ゾーンの寸法を大歯車および／または小歯車の回転角度から決定することができる。大歯車および／または小歯車の回転角度は、アナログ測定値を提供することができる。本開示の態様によれば、ロータリーエンコーダ４０６は、大歯車および／または小歯車の回転角度に対応するアナログ測定値を対応するデジタル測定値に変換するように構成することができる。前述したように、デジタル測定値は、測定ゾーンの直径のデジタル表示を表している。ロータリーエンコーダ４０６は、アブソリュート型ロータリーエンコーダ、インクリメンタル型ロータリーエンコーダ、磁気分極ベースのロータリーエンコーダ、またはこれらの組み合わせを含むことができる。
【００３９】
図５は、本開示の態様による、図１の例示的なシステムで使用するための直線位置エンコーダを有する例示的な測定サブシステムの概略図５００である。直線位置エンコーダは、それぞれ図２および図３の測定サブシステム２００、３００でも使用することができることに留意されたい。
【００４０】
測定サブシステム５００は、伸縮式ゲージ５０１およびデータデジタイザ５０６を含むことができる。図５の実施例では、データデジタイザ５０６は、直線位置エンコーダであってもよい。特に、直線位置エンコーダ５０６は、デジタル測定値を提供するように構成することができる。伸縮式ゲージ５０１は、摺動アーム５０２および垂直アーム５０４を含む。さらに、伸縮式ゲージ５０１は、摺動アーム５０２および垂直アーム５０４を結合するための図２の結合部２０６などの結合部を含む。一実施形態では、直線位置エンコーダ５０６は、センサ、トランスデューサ、または位置を符号化するスケールと対をなす読み取りヘッドを含むことができる。直線位置エンコーダ５０６が位置を符号化するスケールと対をなす読み取りヘッドであるような実施例では、測定値はスケールから得ることができ、符号化された位置値はデジタル測定値に変換することができる。
【００４１】
直線位置エンコーダ５０６は、インクリメンタル型直線エンコーダまたはアブソリュート型直線エンコーダであってもよい。さらに、特定の実施形態では、直線位置エンコーダ５０６は、磁気式直線エンコーダ、容量式直線エンコーダ、誘導式直線エンコーダ、渦電流式直線エンコーダ、光学式直線エンコーダ、またはこれらの組み合わせである。光学式直線エンコーダは、影、自己結像、および干渉法技術などの光学技術を用いて動作する。
【００４２】
図２に関連して上述したように、摺動アームが測定ゾーンの側壁と係合すると、測定ゾーンの寸法は、垂直アームの上方向への変位および／または摺動アームの外向き方向への変位に基づいて決定することができる。図５の実施例では、直線位置エンコーダ５０６は、伸縮式ゲージ５０１の摺動アーム５０２の各々に配置することができる。本実施形態では、摺動アーム５０２上の両方の直線位置エンコーダ５０６によって記録された読み取り値／測定値は、測定ゾーンの寸法に対応するデジタル測定値を生成するために使用することができる。図５の実施例では、両方の摺動アーム５０２は、互いに独立である。したがって、各摺動アーム５０２に対応する直線位置エンコーダ５０６は、対応する摺動アーム５０２の位置を測定する。さらに、測定ゾーンの寸法は、摺動アーム５０２の各々に対応する直線位置エンコーダ５０６によって記録された読み取り値を合計することにより決定することができる。
【００４３】
しかし、別の実施形態では、直線位置エンコーダ５０６を伸縮式ゲージ５０１の垂直アーム５０４に配置することができる。本実施例では、直線位置エンコーダ５０６は、垂直アーム５０４の上方への変位に基づいて、測定ゾーンの寸法に対応するデジタル測定値を提供するように構成することができる。
【００４４】
ここで図６を参照して、物理的資産６０２の測定値を決定するための例示的な測定および解析システムの使用の概略図６００を示す。例として、システム６００は、物理的資産６０２の測定ゾーン６０４の寸法を測定するように構成される。前述したように、測定ゾーン６０４は、物理的資産６０２の長さに沿って均一な寸法を有してもよい。しかし、特定の実施形態では、測定ゾーン６０４は、物理的資産６０２の長さに沿って変化する寸法を有してもよい。測定および解析システム６００は、測定サブシステム６０６および処理サブシステム６１０を含む。測定サブシステム６０６は、図２および図３の測定サブシステム２００、３００と同様である。また、処理サブシステムは、図１の処理サブシステム１０６と同様であってもよい。
【００４５】
測定サブシステム６０６は、伸縮式ゲージ６０１、２段ノブ６１２、データデジタイザ６１４、および無線部６１６を含む。また、伸縮式ゲージ６０１は、摺動アーム６１８および垂直アーム６２０を含む。摺動アーム６１８は、図２の結合部２０６などの結合部を介して垂直アーム６２０に結合される。
【００４６】
測定サブシステム６０６は、測定ゾーン６０４の寸法の測定値を得るために、物理的資産６０２の測定ゾーン６０４内に配置することができる。したがって、測定サブシステム６０６は、測定サブシステム６０６の摺動アーム６１８が測定ゾーン６０４内に位置するように配置することができる。２段ノブ６１２は、摺動アーム６１８が測定ゾーン６０４の側壁６０８に確実に係合するように、伸縮式ゲージ６０１の摺動アーム６１８および垂直アーム６２０を動かすために使用することができる。摺動アーム６１８が測定ゾーン６０４の側壁６０８に確実に係合すると、摺動アーム６１８および／または垂直アーム６２０の変位あるいは結合部の歯車の回転角度をデジタル測定値に変換するためにデータデジタイザ６１４を用いることができる。
【００４７】
さらに、無線部６１６は、測定サブシステム６０６からのデジタル測定値を処理サブシステム６１０に無線で転送するために用いることができる。一実施形態では、２段ノブ６１２の横方向の動きは、測定サブシステム６０６からのデジタル測定値を処理サブシステム６１０に転送することを助ける。いくつかの実施形態では、処理サブシステム６１０は、コンピュータ、スマートフォン、アイパッド、アイフォン、タブレット、またはこれらの組み合わせを含むことができる。
【００４８】
本開示のさらなる態様によれば、システム６００は、物理的資産６０２の状態を識別するように構成することができる。より具体的には、システム６００は、測定サブシステム６０６によって生成されたデジタル測定値に基づいて、物理的資産６０２の状態を決定するように構成することができる。一実施形態では、処理サブシステム６１０は、物理的資産６０２の状態を識別するために、デジタル測定値を基準値と比較するように構成することができる。基準値は、現場の試行および実験的シミュレーションなどに基づいて決定することができることに留意されたい。一実施例では、物理的資産の状態は、物理的資産の健全状態および異常状態のうちの少なくとも１つを含むことができる。
【００４９】
図７は、本開示の態様による、物理的資産を測定および解析するための方法を示すフローチャート７００である。図７の方法は、図１、図２および図６の要素に関して説明する。本方法は、ステップ７０２で開始し、伸縮式ゲージ６０１が物理的資産６０２の測定ゾーン６０４内に配置される。より具体的には、伸縮式ゲージ６０１は、伸縮式ゲージ６０１の摺動アーム６１８が測定ゾーン６０４内に位置するように配置することができる。前述したように、物理的資産は、油田およびガス田の構成要素を含むことができる。また、物理的資産６０２に対応する測定ゾーン６０４は、ボア、孔、パイプ、またはこれらの組み合わせを含むことができる。
【００５０】
さらに、ステップ７０４では、物理的資産６０２の測定ゾーン６０４に対応する１つまたは複数のアナログ測定値が伸縮式ゲージ６０１を用いて決定される。この目的のために、摺動アーム６１８が測定ゾーン６０４の側壁６０８に確実に係合するように、伸縮式ゲージ６０１の摺動アーム６１８を動かすことができる。一実施形態では、２段ノブ６１２を動かして／回転させて、摺動アーム６１８を動かすことができる。摺動アーム６１８が側壁６０８に係合すると、測定ゾーン６０４に対応するアナログ測定値を得ることができる。上述したように、アナログ測定値は、伸縮式ゲージ６０１の垂直および／または摺動アームの変位、ならびに伸縮式ゲージ６０１の複数の歯車の回転角度、あるいはこれらの組み合わせを表している。
【００５１】
続いて、ステップ７０６では、物理的資産６０２の測定ゾーン６０４に対応する１つまたは複数のアナログ測定値を１つまたは複数の対応するデジタル測定値に変換することができる。一実施形態では、測定値のアナログ値は、データデジタイザ６１４を用いることにより、対応するデジタル測定値に変換することができる。特定の実施形態では、一連のデジタル測定値を生成することができる。一実施例では、データデジタイザ６１４を一連のデジタル測定値を生成するために使用することができる。さらに、一実施例では、処理サブシステム１０６は、所定の時間期間にわたってデジタル測定値の変化を監視するように構成することができる。したがって、この例では、一連のデジタル測定値は、時間でインデックス付けされたデジタル測定値を含むことができる。別の例では、一連のデジタル測定値は、物理的資産１０４の所望の長さに沿って取得された測定値の範囲に対応することができる。この例では、所望の測定値を一連のデジタル測定値から推定および／または補間することができる。
【００５２】
さらに別の例では、一連のデジタル測定値は、平滑化された一連のデジタル測定値を生成するために平滑化することができる。特定の実施形態では、処理サブシステム１０６は、一連のデジタル測定値を平均化することにより、平滑化された一連のデジタル測定値を生成するように構成することができる。さらに、処理サブシステム１０６はまた、平滑化された一連のデジタル測定値に基づいて、所望の測定値を特定するように構成することができる。一例では、所望の測定値は、平滑化された一連のデジタル測定値に対応する最大値を表してもよい。さらに、所望の測定値は、物理的資産１０４の状態を識別するために使用することができる。所望の測定値を使用することにより、現場の操作者の主観的な判断による誤差を最小にするのに役立つ。一実施形態では、データデジタイザ６１４は、ロータリーエンコーダおよび直線位置エンコーダなどを含むことができる。
【００５３】
さらに、ステップ７０８で、１つまたは複数のデジタル測定値を処理サブシステム６１０に無線で転送することができる。特定の実施形態では、測定サブシステム６０６からのデジタル測定値を処理サブシステム６１０に無線で転送するために、無線部６１６を用いることができる。また、一実施形態では、２段ノブ６１２の横方向の動きは、測定サブシステム６０６から処理サブシステム６１０へのデジタル測定値の転送を始動させることを助ける。同様に、デジタル測定値のクラウドを無線部６１６から処理サブシステム６１０に無線で転送することができる。
【００５４】
さらに、ステップ７１０では、１つまたは複数のデジタル測定値または一連のデジタル測定値を、物理的資産６０２の状態を識別するために、リアルタイムで処理することができる。特定の実施形態では、処理サブシステム６１０は、デジタル測定値をリアルタイムで処理することにより物理的資産６０２の状態を識別するために使用することができる。例として、一連のデジタル測定値は、処理サブシステム１０６によって処理されて、一連のデジタル測定値の特定用途向けの解釈を生成することができる。特に、一実施形態では、処理サブシステム６１０は、物理的資産６０２の状態を識別するために、デジタル測定値を基準値と比較するように構成することができる。一実施例では、物理的資産６０２の状態は、物理的資産６０２の健全状態または異常状態であってもよい。異常状態が識別された場合には、アラームまたは視覚表示を活性化して、現場の操作者に知らせることができる。
【００５５】
特定の他の実施形態では、処理サブシステム６１０は、デジタル測定値のクラウドを処理して、デジタル測定値の平滑化されたクラウドを生成するように構成することができる。一実施例では、処理サブシステム６１０は、平滑化アルゴリズムを使用して、デジタル測定値の平滑化されたクラウドを生成することができる。加えて、処理サブシステム６１０は、デジタル測定値の平滑化されたクラウドに基づいて所望の測定値を生成するように構成することができる。一実施例では、所望の測定値は、デジタル測定値の平滑化されたクラウドに対応する最大値を表すことができる。本実施例では、処理サブシステム６１０は、所望の測定値と基準値との比較に基づいて物理的資産６０２の状態を識別するように構成することができる。
【００５６】
さらに、上述した実施例、実証、およびシステムにより実行することができるような処理ステップは、汎用コンピュータまたは専用コンピュータなどのプロセッサベースのシステム上の好適なコードによって実現することができる。また、本開示の種々の実施形態は、本明細書に記載したステップの一部またはすべてを、異なる順序で、または実質的に同時に、すなわち並行して実行することができることに留意されたい。さらに、機能は、これに限定されないが、Ｃ、Ｃ＋＋、またはＪａｖａ（登録商標）を含む様々なプログラミング言語で実現することができる。このようなコードは、データレポジトリチップ、ローカルもしくはリモートハードディスク、光ディスク（すなわち、ＣＤまたはＤＶＤ）、メモリ、または他の媒体等の、１つもしくは複数の有形な機械可読媒体上に記憶または適合させることができ、記憶されたコードを実行するためにプロセッサベースのシステムによってアクセスすることができる。有形な媒体は、命令が印刷された紙または別の適切な媒体を含んでもよいことに留意されたい。たとえば、命令は、紙または他の媒体の光学的走査によって電子的に取り込み、それからコンパイルし、必要に応じて解釈または適切な方法で処理し、それからデータレポジトリまたはメモリに記憶することができる。
【００５７】
上述した物理的資産に対応する寸法を測定するためのシステムおよび方法の様々な実施形態は、物理的資産の寸法を測定し、測定された寸法を処理することによって物理的資産の状態を決定するためのフレームワークを提供する。さらに、本システムおよび本方法は、物理的資産の寸法の自動化されたデジタル測定を提供し、それによって、物理的資産の測定の効率および再現性を高めることを容易にする。その結果、手作業の誤差のない測定データの複数のセットを得ることができる。加えて、本システムおよび本方法は、測定データの複数のセットのより簡素でより高速な収集および解析を容易にする。さらに、本システムおよび本方法は、デジタル測定値のリアルタイム解析を可能にし、それによって物理的資産の状態についてタイムリーな情報を提供することができ、物理的資産の迅速な修理および保守を支援することができる。
【００５８】
本発明について例示的な実施形態を参照して説明してきたが、本発明の範囲から逸脱することなく、様々な変更を行うことができ、またその要素を等価物で置き換えることができることは、当業者には理解されるであろう。さらに、本発明の本質的な範囲を逸脱せずに特定の状況または材料を本発明の教示に適応させるために、多くの修正を行うことができる。
【符号の説明】
【００５９】
１００  測定および解析システム
１０２  測定サブシステム
１０４  物理的資産
１０６  処理サブシステム
１０８  伸縮式ゲージ
１１０  データデジタイザ
１１２  無線部
２００  測定サブシステム
２０１  伸縮式ゲージ
２０２  摺動アーム
２０４  垂直アーム
２０６  結合部
２０８  ２段ノブ
２１０  無線部
２１２  接触キャップ
２１４  大歯車
２１５  歯車
２１６  小歯車
２１８  ばね
２２０  軸
２２２  第１の歯部
２２４  第２の歯部
２２６  上方向
２２８  外向きの動き、外向き方向
２３０  下方向
２３２  内向き方向
３００  測定サブシステム
３０１  伸縮式ゲージ
３０２  摺動アーム
３０４  垂直アーム
３０６  結合部、ばね
３０８  上方向
３１０  横方向
４００  測定サブシステム
４０１  伸縮式ゲージ
４０２  摺動アーム
４０４  垂直アーム
４０６  データデジタイザ、ロータリーエンコーダ
５００  測定サブシステム
５０１  伸縮式ゲージ
５０２  摺動アーム
５０４  垂直アーム
５０６  データデジタイザ、直線位置エンコーダ
６００  測定および解析システム
６０１  伸縮式ゲージ
６０２  物理的資産
６０４  測定ゾーン
６０６  測定サブシステム
６０８  側壁
６１０  処理サブシステム
６１２  ２段ノブ
６１４  データデジタイザ
６１６  無線部
６１８  摺動アーム
６２０  垂直アーム
７００  フローチャート
７０２  ステップ
７０４  ステップ
７０６  ステップ
７０８  ステップ
７１０  ステップ
【図１】
0006754191.tif 000002
【図２】
0006754191.tif 000003
【図３】
0006754191.tif 000004
【図４】
0006754191.tif 000005
【図５】
0006754191.tif 000006
【図６】
0006754191.tif 000007
【図７】
0006754191.tif 000008